(57)【要約】【課題】臀部の丸みに隙間なくフィットし、経血等が臀部を伝いにくくする。【解決手段】平面視で、臀部に対応する位置の幅方向中央部に、略幅方向に沿って後側に凸の湾曲状に形成される幅方向溝９と、この幅方向溝９の両側部からそれぞれ後側に向けて略長手方向に沿って湾曲状に形成される長手方向溝１０とからなるＭ字形溝Ｍ１、Ｍ２を長手方向に２つ形成するとともに、前記Ｍ字形溝Ｍ１、Ｍ２は、前記長手方向溝１０の頂部を、前記幅方向溝９の頂部より長手方向後側の位置に形成する。【選択図】図１
2010082059.tif 000002
【特許請求の範囲】
【請求項１】
透液性トップシートとバックシートとの間に吸収体が介在された吸収性物品において、
平面視で、臀部に対応する位置の幅方向中央部に、略幅方向に沿って後側に凸の湾曲状に形成される幅方向溝と、この幅方向溝の両側部からそれぞれ後側に向けて略長手方向に沿って湾曲状に形成される長手方向溝とからなるＭ字形溝が長手方向に複数形成されるとともに、
前記Ｍ字形溝は、前記長手方向溝の頂部が、前記幅方向溝の頂部より長手方向後側の位置に形成されていることを特徴とする吸収性物品。
【請求項２】
前記Ｍ字形溝は、前記長手方向溝の頂部における曲率半径が、前記幅方向溝の頂部における曲率半径より大きく形成されている請求項１記載の吸収性物品。
【請求項３】
前記長手方向溝は、後側端部が、前側端部より幅方向外側の位置に形成されている請求項１、２いずれかに記載の吸収性物品。
【請求項４】
前記Ｍ字形溝のうちの少なくとも一つは、前記長手方向溝が、幅方向中央側に凸の湾曲状に形成されている請求項１〜３いずれかに記載の吸収性物品。
【請求項５】
前記Ｍ字形溝のうちの少なくとも一つは、前記長手方向溝が、幅方向外側に凸の湾曲状に形成されている請求項１〜３いずれかに記載の吸収性物品。
【請求項６】
前記Ｍ字形溝は、相隣接する前記Ｍ字形溝同士の一部が連続的に形成されている請求項１〜５いずれかに記載の吸収性物品。
【請求項７】
前記Ｍ字形溝は、それぞれ大きさが異なっている請求項１〜６いずれかに記載の吸収性物品。
【発明の詳細な説明】
【技術分野】
【０００１】
本発明は、経血やおりものなどを吸収するための生理用ナプキン、パンティライナー、失禁パッド等の吸収性物品に係り、臀部の丸みに隙間なくフィットし、経血等が臀部を伝いにくくした吸収性物品に関する。
【背景技術】
【０００２】
従来より、パンティライナー、生理用ナプキン、失禁パッドなどの吸収性物品として、ポリエチレンシートまたはポリエチレンラミネート不織布などの不透液性バックシートと、不織布または透液性プラスチックシートなどの透液性トップシートとの間に綿状パルプ等からなる吸収体を介在したものが知られている。
【０００３】
この種の吸収性物品にも幾多の改良が重ねられ、体液漏れを防止するための手段が種々講じられている。これら体液漏れ防止手段の一つとして、吸収体に熱エンボスによって凹状溝を形成する技術が存在する。
【０００４】
たとえば、下記特許文献１では、女性の排血口はもとより会陰部に対しても吸収体を密着させ得るようにすることを目的として、吸収性物品の幅方向中央部に使用面側に高い吸収体の中高部を有するとともに、この中高部の両側にそれぞれ、ほぼ吸収性物品の長手方向に延長されるエンボスが形成され、かつ前記左右一対のエンボスは、エンボス離間幅の拡大領域を形成するように夫々のエンボスラインが吸収性物品の中心側に曲率中心を有する曲線によって形成される第１の膨出形状エンボスと、この第１の膨出形状エンボスの後部側に連続して、吸収性物品の外方側に曲率中心を有する曲線によって形成される中間弧状エンボスを介してそれぞれのエンボスラインが吸収性物品の中心側に曲率中心を有する曲線によって形成される第２の膨出形状エンボスとを有する吸収性物品が開示されている。
【０００５】
また、下記特許文献２では、吸収性物品の後方に突出する第１突端部Ｐ１を有すると共に、前記第１突端部Ｐ１の該吸収性物品における幅方向に防漏溝が形成される略Ｕ字状の第１Ｕ字部Ｕ１と、前記第１Ｕ字部Ｕ１の後方側に形成され、後方に突出する第２突端部Ｐ２を有すると共に、前記第２突端部Ｐ２の幅方向に防漏溝が形成される略Ｕ字状の第２Ｕ字部Ｕ２と、前記第２Ｕ字部Ｕ２の後方側に形成され、後方に突出する第３突端部Ｐ３を有すると共に、前記第３突端部Ｐ３の幅方向に防漏溝が配置されない略Ｕ字状の第３Ｕ字部Ｕ３とからなる防漏溝部を備えた吸収性物品が開示されている。
【特許文献１】特開２００６−１４９７９８号公報
【特許文献２】特開２００７−１５２０３３号公報
【発明の開示】
【発明が解決しようとする課題】
【０００６】
上記特許文献１記載の吸収性物品では、第１の膨出形状エンボスの後部側に連続して中間弧状エンボスを介して第２の膨出形状エンボスが形成されているため、女性の排血口はもとより会陰部に対しても吸収体を密着させることができるようになり、従って、従来の製品よりも更に身体への密着性が向上し、後側への伝い漏れを確実に防止できるようになるなどの効果を有している。
【０００７】
しかしながら、経血等が何らかの理由により会陰部を越えて後側に漏れる場合も起こりうる。この場合、吸収性物品の表面が臀部の丸みに隙間なくフィットしていなければ、経血が臀部を伝って後側へ漏れるおそれがある。
【０００８】
一方、上記特許文献２記載の吸収性物品のように、吸収性物品の幅方向中央部に複数のＵ字部Ｕ１，Ｕ２，Ｕ３が形成された場合、長手方向に曲げ変形が加えられると、これらＵ字部に曲げ力が集中して、各Ｕ字部を折り基点として吸収体が折れ曲がり、吸収性物品が臀部の丸みに沿って湾曲するようになる。
【０００９】
ところが、ショーツに装着された吸収性物品は、股間部において大腿部からの内側方向への圧縮力を受けることによって、吸収体を幅方向に圧縮し、股間部より後側（臀部側）においても内側方向への内方圧縮力が作用する。このような内方圧縮力は、前記折り基点に集中して作用し、折り基点が極度に圧縮されるようになるため、吸収性物品が臀部の丸みに沿うことができず、身体から離れて隙間が発生する。そのため、経血等が臀部を伝い、後側への漏れが生じるようになる。
【００１０】
そこで本発明の主たる課題は、臀部の丸みに隙間なくフィットし、経血等が臀部を伝いにくくした吸収性物品を提供することにある。
【課題を解決するための手段】
【００１１】
前記課題を解決するために請求項１に係る本発明として、透液性トップシートとバックシートとの間に吸収体が介在された吸収性物品において、
平面視で、臀部に対応する位置の幅方向中央部に、略幅方向に沿って後側に凸の湾曲状に形成される幅方向溝と、この幅方向溝の両側部からそれぞれ後側に向けて略長手方向に沿って湾曲状に形成される長手方向溝とからなるＭ字形溝が長手方向に複数形成されるとともに、
前記Ｍ字形溝は、前記長手方向溝の頂部が、前記幅方向溝の頂部より長手方向後側の位置に形成されていることを特徴とする吸収性物品が提供される。
【００１２】
上記請求項１記載の発明では、平面視で、臀部に対応する位置の幅方向中央部に、略幅方向に沿って後側に凸の湾曲状に形成される幅方向溝と、この幅方向溝の両側部からそれぞれ後側に向けて略長手方向に沿って湾曲状に形成される長手方向溝とからなるＭ字形溝が長手方向に複数形成されているため、吸収性物品を装着したときに長手方向に曲げ変形が加えられると、後側に凸の湾曲状に形成された前記幅方向溝の頂部に曲げ応力が集中して、この頂部を折り基点として幅方向に折りジワが形成され、臀部の丸みに沿って折れ曲がるようになる。
【００１３】
一方、大腿部からの圧力によって内側方向に作用する内方圧縮力は、長手方向溝の頂部で最大となる。このとき前記長手方向溝の頂部は、前記幅方向溝の頂部より長手方向後側の位置に形成されているため、前記折り基点となる幅方向溝の頂部より後側にずれた位置で内方圧縮力が最大となり、折り基点にかかる力が分散し、前記折り基点に極度の圧縮力が作用せず、吸収性物品の表面が臀部の丸みに隙間なくフィットし、経血等が臀部を伝いにくくすることができるようになる。
【００１４】
請求項２に係る本発明として、前記Ｍ字形溝は、前記長手方向溝の頂部における曲率半径が、前記幅方向溝の頂部における曲率半径より大きく形成されている請求項１記載の吸収性物品が提供される。
【００１５】
上記請求項２記載の発明では、長手方向溝の頂部における曲率半径が、前記幅方向溝の頂部における曲率半径より大きく形成されているため、長手方向溝が前記内方圧縮力を広い範囲に分散して受けるようになり、折り基点にかかる内方圧縮力をより分散できるようになる。
【００１６】
請求項３に係る本発明として、前記長手方向溝は、後側端部が、前側端部より幅方向外側の位置に形成されている請求項１、２いずれかに記載の吸収性物品が提供される。
【００１７】
上記請求項３記載の発明では、長手方向溝は、後側端部が、前側端部より幅方向外側の位置に形成されているため、大腿部の方向から伝播する内方圧縮力を適確に受け止めることができ、折り基点にかかる内方圧縮力をより分散できるようになる。
【００１８】
請求項４に係る本発明として、前記Ｍ字形溝のうちの少なくとも一つは、前記長手方向溝が、幅方向中央側に凸の湾曲状に形成されている請求項１〜３いずれかに記載の吸収性物品が提供される。
【００１９】
請求項５に係る本発明として、前記Ｍ字形溝のうちの少なくとも一つは、前記長手方向溝が、幅方向外側に凸の湾曲状に形成されている請求項１〜３いずれかに記載の吸収性物品が提供される。
【００２０】
上記請求項４、５記載の発明は、長手方向溝が凸に湾曲する方向を示したものであり、幅方向内側に凸に湾曲させても良いし、幅方向外側に凸に湾曲させても良い。
【００２１】
請求項６に係る本発明として、前記Ｍ字形溝は、相隣接する前記Ｍ字形溝同士の一部が連続的に形成されている請求項１〜５いずれかに記載の吸収性物品が提供される。
【００２２】
上記請求項６記載の発明は、Ｍ字形溝が折り基点にかかる圧力を制御するとともに、吸収性物品表面を経血等が伝うのを防止するために、相隣接する前記Ｍ字形溝同士の一部を連続的に形成するようにしたものである。
【００２３】
請求項７に係る本発明として、前記Ｍ字形溝は、それぞれ大きさが異なっている請求項１〜６いずれかに記載の吸収性物品が提供される。
【発明の効果】
【００２４】
以上詳説のとおり本発明によれば、臀部の丸みに隙間なくフィットし、経血等が臀部を伝いにくくした吸収性物品が提供できる。
【発明を実施するための最良の形態】
【００２５】
以下、本発明の実施の形態について図面を参照しながら詳述する。
〔生理用ナプキン１の基本構造〕
図１は本発明の第１形態例に係る生理用ナプキン１の展開図であり、図２は図１のII−II線矢視図、図３は図１のIII−III線矢視図である。
【００２６】
前記生理用ナプキン１は、ポリエチレンシートなどからなる不透液性バックシート２と、経血やおりものなどを速やかに透過させる透液性トップシート３と、これら両シート２，３間に介装された綿状パルプまたは合成パルプなどからなる吸収体４と、この吸収体４の形状保持および拡散性向上のために前記吸収体４を囲繞するクレープ紙５と、前記吸収体４の略側縁部を起立基端とし、かつ少なくとも体液排出部Ｈを含むように前後方向に所定の区間内において表面側に突出して設けられた左右一対の立体ギャザーＢＳ、ＢＳとから主に構成され、かつ前記吸収体４の周囲においては、その上下端縁部では前記不透液性バックシート２と透液性トップシート３との外縁部がホットメルトなどの接着剤やヒートシール等の接着手段によって接合され、またその両側縁部では吸収体４よりも側方に延出している前記不透液性バックシート２と、前記立体ギャザーＢＳを形成しているサイド不織布７とがホットメルトなどの接着剤やヒートシール等の接着手段によって接合され、これら不透液性バックシート２とサイド不織布７とによる積層シート部分によって側方に突出するウイング状フラップＷ、Ｗが形成されているとともに、これよりも臀部側に位置する部分に第２ウイング状フラップＷＢ、ＷＢが形成されている。
【００２７】
また、本生理用ナプキン１においては、平面視で、臀部に対応する位置の幅方向中央部に、略Ｍ字形に形成されたＭ字形溝Ｍ、Ｍ…が長手方向に複数形成されている。図示例では、前記Ｍ字形溝Ｍ、Ｍ…は、前側のＭ字形溝Ｍ１と後側のＭ字形溝Ｍ２とが２つ形成されている。さらに、本生理用ナプキン１では、少なくとも体液排出部Ｈを含む前側の領域に、該体液排出部Ｈの周囲に長手方向に細長い前側溝８ａが形成されるとともに、その前側には、間を空けて略傘形状の前端独立溝８ｂが形成されている。なお、前記前側溝８ａ及び前端独立溝８ｂは、任意の形態で良く、なくても良い。
【００２８】
以下、さらに前記生理用ナプキン１の構造について詳述すると、
前記不透液性バックシート２は、ポリエチレン等の少なくとも遮水性を有するシート材が用いられるが、近年はムレ防止の観点から透湿性を有するものが用いられる傾向にある。この遮水・透湿性シート材としては、ポリエチレンやポリプロピレン等のオレフィン系樹脂中に無機充填剤を溶融混練してシートを成形した後、一軸または二軸方向に延伸することにより得られる微多孔性シートが好適に用いられる。前記不透液性バックシート２の非使用面側（外面）には１または複数条の粘着剤層（図示せず）が形成され、身体への装着時に生理用ナプキン１を下着に固定するようになっている。前記不透液性バックシート２としては、プラスチックフィルムと不織布とを積層させたポリラミ不織布を用いてもよい。
【００２９】
次いで、前記透液性トップシート３は、有孔または無孔の不織布や多孔性プラスチックシートなどが好適に用いられる。不織布を構成する素材繊維としては、ポリエチレンまたはポリプロピレン等のオレフィン系、ポリエステル系、ポリアミド系等の合成繊維の他、レーヨンやキュプラ等の再生繊維、綿等の天然繊維とすることができ、スパンレース法、スパンボンド法、サーマルボンド法、メルトブローン法、ニードルパンチ法等の適宜の加工法によって得られた不織布を用いることができる。これらの加工法の内、スパンレース法は柔軟性、ドレープ性に富む点で優れ、サーマルボンド法は嵩高でソフトである点で優れている。前記透液性トップシート３に多数の透孔を形成した場合には、経血やおりもの等（以下、まとめて体液という。）が速やかに吸収されるようになり、ドライタッチ性に優れたものとなる。
【００３０】
前記吸収体４としては、体液を吸収・保持し得るものであれば良く、通常はフラッフ状パルプ中に吸水性ポリマー粉末を混入したものが吸収機能および価格の点から好適に使用される。前記吸収体４は形状保持等のためにクレープ紙５によって囲繞するのが望ましい。特に、前記吸収体４を薄型吸収体とした場合、吸収体を臀部にフィットさせにくくなるため、本発明が特に有効である。前記薄型吸収体とは、着用者の違和感を低減するため、吸収体の厚みを小さく形成したものであり、例えば０．５mm〜５mm程度の厚みのものである。
【００３１】
一方、前記透液性トップシート３の幅寸法は、図示例では、図２および図３の横断面図に示されるように、吸収体４の幅よりも若干長めとされ、吸収体４を覆うだけに止まり、前記立体ギャザーＢＳは前記透液性トップシート３とは別のサイド不織布７、具体的には経血やおりもの等が浸透するのを防止する、あるいは肌触り感を高めるなどの目的に応じて、適宜の撥水処理または親水処理を施した不織布素材を用いて構成されている。かかるサイド不織布７としては、天然繊維、合成繊維または再生繊維などを素材として、適宜の加工法によって形成されたものを使用することができるが、好ましくはゴワ付き感を無くすとともに、ムレを防止するために、坪量を抑えて通気性を持たせた不織布を用いるのがよい。具体的には、坪量を１８〜２３g/m２として作製された不織布を用いるのが望ましく、かつ体液の透過を確実に防止するためにシリコン系、パラフィン系、アルキルクロミッククロリド系撥水剤などをコーティングした撥水処理不織布が好適に使用される。
【００３２】
前記サイド不織布７は、図２および図３に示されるように、幅方向中間部より外側部分を吸収体４の内側位置から吸収体側縁を若干越えて不透液性バックシート２の外縁までの範囲に亘ってホットメルトなどの接着剤によって接着し、これら前記サイド不織布７と不透液性バックシート２との積層シート部分により、ほぼ体液排出部に相当する吸収体側部位置に左右一対のウイングフラップＷ、Ｗを形成するとともに、これより臀部側位置に第２ウイング状フラップＷＢ、ＷＢを形成している。これらウイング状フラップＷ、Ｗおよび第２ウイング状フラップＷＢ、ＷＢの外面側にはそれぞれ粘着剤層１２…，１３…を備え、ショーツに対する装着時に、前記ウイング状フラップＷ、Ｗが折返し線ＲＬ位置にて反対側に折り返し、ショーツのクロッチ部分に巻き付けて止着するようになっている。
【００３３】
一方、前記サイド不織布７の内方側部分はほぼ二重に折り返されるとともに、この二重シート内部に、その高さ方向中間部に両端または長手方向の適宜の位置が固定された糸状弾性伸縮部材１９が配設されるとともに、前記糸状弾性伸縮部材１９の上側部位に複数本の、図示例では２本の糸状弾性伸縮部材２０，２０が両端または長手方向の適宜の位置が固定された状態で配設されている。この二重シート部分は前後端部では図３に示されるように、断面Ｚ状に折り畳んで積層された状態で吸収体４側に接着されることによって、前記糸状弾性伸縮部材１９配設部位を屈曲点として、断面く字状に内側に開口を向けたポケットＰ、Ｐを形成しながら表面側に起立する立体ギャザーＢＳ、ＢＳが形成されている。
【００３４】
〔Ｍ字形溝Ｍの構造〕
図４及び図５は、第１形態例に係るＭ字形溝Ｍの平面図である。前記Ｍ字形溝Ｍは、詳細には図４に示されるように、平面視で、臀部に対応する位置の幅方向中央部に、略幅方向に沿って後側に凸の湾曲状に形成される幅方向溝９と、この幅方向溝９の両側部からそれぞれ後側に向けて、略長手方向に沿って幅方向中央側に凸の湾曲状に形成される長手方向溝１０とから構成されている。図示例では、かかるＭ字形溝Ｍは、長手方向に対して前後に２つのＭ字形溝Ｍ１、Ｍ２が形成されている。
【００３５】
ここで、前記Ｍ字形溝Ｍは、前記長手方向溝１０の頂部ｂ１が、前記幅方向溝９の頂部ａ１より長手方向後側の位置に形成されるようにする。すなわち、図４に示されるように、Ｍ字形溝Ｍの前端部から、幅方向溝９の頂部ａ１までのナプキン長手方向距離をＬ１、長手方向溝１０の頂部ｂ１までのナプキン長手方向距離をＬ２とすると、Ｌ１＜Ｌ２の関係となるようにする。ここで、幅方向溝９の頂部ａ１とは、幅方向線に対して前記幅方向溝９が後側に極大となる部分のことを指し、長手方向溝１０の頂部ｂ１とは、長手方向線に対して前記長手方向溝１０が幅方向中央側に極大となる部分のことを指す。
【００３６】
また、前記Ｍ字形溝Ｍは、図４に示されるように、長手方向溝１０の頂部ｂ１における曲率半径Ｒ２が、幅方向溝９の頂部ａ１における曲率半径Ｒ１より大きく形成されることが好ましい。すなわち、Ｒ１＜Ｒ２の関係となるようにすることが好ましい。
【００３７】
さらに、前記長手方向溝１０は、後側端部ｄ１が、前側端部ｃ１よりより幅方向外側の位置に形成されていることが好ましい。すなわち、図４に示されるように、Ｍ字形溝Ｍの幅方向中心線から、長手方向溝１０の前側端部ｃ１までのナプキン幅方向距離をＬ３、後側端部ｄ１までのナプキン幅方向距離をＬ４とすると、Ｌ３＜Ｌ４の関係となるようにすることが好ましい。
【００３８】
以上のように形成されるＭ字形溝Ｍによれば、次のような効果が得られる。なお、前側のＭ字形溝Ｍ１と後側のＭ字形溝Ｍ２とは同様の効果を有するため、前側のＭ字形溝Ｍ１を例に挙げ、説明する。
【００３９】
先ず、図５に示されるように、臀部の前後方向に沿うように生理用ナプキン１が長手方向に曲げられられることによって吸収体４に作用する曲げ力（図５中の「曲げ力」）は、幅方向溝９の頂部ａ１において最大となり、その両側に向かうに従って小さくなる。このため、吸収体４は、この頂部ａ１が折り基点Ｘ１となって、幅方向に折りジワが形成され、臀部の丸みに沿って折れ曲がるようになる。
【００４０】
また、大腿部からの圧力によって内側方向に作用する内方圧縮力（図５中の「内方圧縮力」）は、長手方向溝１０の頂部ｂ１において最大となりその前後側に向かうに従って小さくなる。ここで、従来の生理用ナプキンのように、幅方向溝９が前側に凸の湾曲状に形成されると、前記折り基点Ｘ１に内方圧縮力が集中的に作用して、折り基点Ｘ１が極度に圧縮され、折りジワが深くなり、吸収体４が臀部の表面から離れる。このため、臀部表面と生理用ナプキン１の表面との間に隙間が生じて、経血等が臀部を伝い易くなり、その結果、経血等の漏れが生じる。これに対して、本発明では、前記幅方向溝９が後側に凸の湾曲状に形成されるとともに、Ｍ字形溝Ｍ１において長手方向溝１０の頂部ｂ１が、幅方向溝９の頂部ａ１（折り基点Ｘ１）より長手方向後側の位置に形成されているため、内方圧縮力は、この折り基点Ｘ１より後側にずれた位置（ｂ１）で最大となり、前記折り基点Ｘ１にかかる力が分散する。このため、折り基点Ｘ１に極度の圧縮力が作用せず、生理用ナプキン１の表面が臀部の丸みに隙間なくフィットし、経血等が臀部を伝いにくくなる。
【００４１】
また、長手方向溝１０の頂部ｂ１における曲率半径Ｒ２が、幅方向溝９の頂部ａ１における曲率半径Ｒ１より大きく形成されているため（Ｒ１＜Ｒ２）、長手方向溝が前記内方圧縮力を広い範囲に分散して受けるようになり、折り基点Ｘ１にかかる内方圧縮力がより分散できるようになる。
【００４２】
さらに、前記長手方向溝１０において、後側端部ｄ１が、前側端部ｃ１より幅方向外側の位置に形成されているため（Ｌ３＜Ｌ４）、大腿部の方向から伝播する内方圧縮力を適確に受け止めることができ、折り基点Ｘ１にかかる内方圧縮力をより分散できるようになる。
【００４３】
加えて、前記Ｍ字形溝Ｍで囲まれた部分では、前記内方圧縮力によって、吸収体が表面側に隆起し、臀部の溝に適度にフィットするようになる。
【００４４】
一方、図６及び図７は、第２形態例に係るＭ字形溝Ｍ’の平面図である。第２形態例として、図６に示されるように、略幅方向に沿って後側に凸の湾曲状に形成される幅方向溝９と、この幅方向溝９の両側部からそれぞれ後側に向けて略長手方向に沿って幅方向外側に凸の湾曲状に形成される長手方向溝１１とから構成されるＭ字形溝Ｍ’が長手方向に２つ形成されている。ここで、図６に示される例では、前側のＭ字形溝Ｍ１’と後側のＭ字形溝Ｍ２’とが独立的に形成されているが、前側のＭ字形溝Ｍ１’の長手方向溝１１の後端部と、後側のＭ字形溝Ｍ２’とが、図中の点線で示した間欠部１１ａ、１１ａにおいて連続して、一体的に形成されるようにしてもよい（図７参照）。
【００４５】
第２形態例にかかるＭ字形溝Ｍ’によれば、上記Ｍ字形溝Ｍと比較して、次のような効果が得られる。
【００４６】
図７に示されるように、前記Ｍ字形溝Ｍ’で囲まれた部分が前記Ｍ字形溝Ｍより広いため、前記内方圧縮力によって、吸収体が広い面積で表面側に隆起し、臀部に広い面積でフィットできるようになる。
【００４７】
ところで、前記Ｍ字形溝Ｍ、Ｍ’は、種々の形態で形成することができる。図８に示されるように、前記第１形態例に係るＭ字形溝Ｍ（図８(A)参照）及び第２形態例に係るＭ字形溝Ｍ’（図８(B)参照）は、それぞれ前側のＭ字形溝Ｍ１、Ｍ１’と後側のＭ字形溝Ｍ２、Ｍ２’とが、大きさが異なるように形成することができる。具体的には、図示例のように、前側のＭ字形溝Ｍ１、Ｍ１’より後側のＭ字形溝Ｍ２、Ｍ２’の方が大きくなるように形成することが好ましい。これにより、後側のＭ字形溝Ｍ２、Ｍ２’で囲まれた部分の吸収体が、より高く隆起したり、より広く臀部にフィットさせたりすることができるようになる。
【００４８】
また、図９に示されるように、前側と後側のＭ字形溝を異なる形態のＭ字形溝によって形成することができる。すなわち、同図(A)に示されるように、前側のＭ字形溝を前記第１形態例に係るＭ字形溝Ｍ１とし、後側のＭ字形溝を前記第２形態例に係るＭ字形溝Ｍ２’とした場合、臀部後側でよりフィットさせることができる。一方同図(B)に示されるように、臀部前側のＭ字形溝を前記第２形態例に係るＭ字形溝Ｍ１’とし、後側のＭ字形溝を前記第１形態例に係るＭ字形溝Ｍ２とした場合、臀部前側でよりフィットさせることができるようになる。
【００４９】
一方、前記Ｍ字形溝Ｍ、Ｍ’で囲まれた部分の吸収体４において、この部分の厚みや柔らかさを変化させ、より臀部側（表面側）に盛り上げやすく構成して、身体にフィットさせやすくすることができる。
【００５０】
また、前記Ｍ字形溝Ｍ、Ｍ’は、透液性トップシート３の表面側から付加されるエンボスとしても良いし、吸収体４のみに付加されるエンボスとしても良い。エンボスパターンは、図示例のように連続した曲線状でも良いし、ステッチ状またはドット状でも良い。また、Ｍ字形溝Ｍ、Ｍ’の各部においてエンボス溝の幅及び／又は深さを変化させることもできる。これにより、Ｍ字形溝Ｍ、Ｍ’にかかる力を調整することができる。
【００５１】
〔他の形態例〕
(1)上記形態例では、Ｍ字形溝Ｍが前側と後側に２つ形成されるようにしたが、長手方向に３つ以上形成されるようにしても良い。
【図面の簡単な説明】
【００５２】
【図１】本発明の第１形態例に係る生理用ナプキン１の展開図である。
【図２】そのII−II線矢視図である。
【図３】図１のIII−III線矢視図である。
【図４】Ｍ字形溝Ｍの拡大平面図である。
【図５】Ｍ字形溝Ｍにかかる圧力分布を示した図である。
【図６】Ｍ字形溝Ｍ’の拡大平面図である。
【図７】Ｍ字形溝Ｍ’にかかる圧力分布を示した図である。
【図８】Ｍ字形溝Ｍの変形例（その１）を示す図である。
【図９】Ｍ字形溝Ｍの変形例（その２）を示す図である。
【符号の説明】
【００５３】
１…生理用ナプキン、２…不透液性バックシート、３…透液性トップシート、４…吸収体、５…クレープ紙、７…サイド不織布、９…幅方向溝、１０・１１…長手方向溝、Ｍ・Ｍ１・Ｍ２…Ｍ字形溝
【図１】
2010082059.tif 000003
【図２】
2010082059.tif 000004
【図３】
2010082059.tif 000005
【図４】
2010082059.tif 000006
【図５】
2010082059.tif 000007
【図６】
2010082059.tif 000008
【図７】
2010082059.tif 000009
【図８】
2010082059.tif 000010
【図９】
2010082059.tif 000011